(57)【特許請求の範囲】
【請求項１】
圧迫部材上面からの十分な圧迫力により音を発する発音部材を備えた心臓マッサージ訓練用器具において、
前記圧迫部材は、下部の両端部から上部の押圧部に至る可撓性板部材によって形成されており、前記押圧部への圧迫力により前記両端部が外方へ滑動して下方へ撓むように構成されているとともに、該可撓性板部材が下方へ所定量を撓んだ際に前記押圧部が前記発音部材を押圧して発音させるようにしたことを特徴とする心臓マッサージ訓練用器具。
【請求項２】
前記可撓性板部材が部分管状体よりなる請求項１に記載の心臓マッサージ訓練用器具。
【請求項３】
前記可撓性板部材の前記両端部が上方へ湾曲した円弧状であるとともに、前記押圧部が平坦面である請求項１に記載の心臓マッサージ訓練用器具。
【請求項４】
前記発音部材が幅方向に湾曲した板ばね部材よりなる請求項１ないし３のいずれか１項に記載の心臓マッサージ訓練用器具。
【請求項５】
前記板ばね部材の上部に前記可撓性板部材の裏面と弾性的に当接する弾性当接部材が配設されている請求項４に記載の心臓マッサージ訓練用器具。
【請求項６】
前記弾性当接部材が板ばね部材の上部にその長さ方向と直行して帯状に配設されている請求項５に記載の心臓マッサージ訓練用器具。
【請求項７】
前記発音部材を収容可能な溝部を有しその上方に前記可撓性板部材が配置される台座部が形成された基盤部材を備え、前記台座部側方に前記可撓性板部材が撓んだ際にその両端部が滑動可能な滑動底部が形成されている請求項１ないし６のいずれか１項に記載の心臓マッサージ訓練用器具。
【請求項８】
前記圧迫部材の上部に人体の胸部を模した模擬胸部材が配置される請求項１ないし７のいずれか１項に記載の心臓マッサージ訓練用器具。
【請求項９】
前記模擬胸部材が人体の胸部に相当する模擬胸部材本体を有し、前記模擬胸部材本体の裏面側の四隅に、該模擬胸部材本体を弾性的に水平状態に支持する弾性支持体がそれぞれ配設されている請求項８記載の心臓マッサージ訓練用器具。
【請求項１０】
少なくとも前記圧迫部材と前記発音部材と前記模擬胸部材とを収納する箱体を有し、前記箱体の内壁部に前記圧迫部材による前記模擬胸部材本体の上下動状態を視認可能な圧迫状態表示部が形成されている請求項９に記載の心臓マッサージ訓練用器具。
【発明の詳細な説明】
【技術分野】
【０００１】
本発明は、心臓マッサージの練習を行うための心臓マッサージ訓練用器具に関する。
【背景技術】
【０００２】
従来、心臓マッサージの練習を行う際には、等身大の人体模型の胸部に圧迫を感知するセンサを有する弾性部材が設けられた心臓マッサージ訓練用器具が用いられる。しかるに、等身大人体模型の訓練用器具は、巨大でかさばるため収納や持ち運びに不便である。しかも、センサ等の精密機器を備えるため、高価である。
【０００３】
そこで、近年では、上半身形状の人体模型からなる訓練用器具や、発泡合成樹脂により胸部を模式的に形成した訓練用器具等の小型で安価な訓練用器具が提案されている（例えば、特許文献１，２参照。）。
【０００４】
上半身形状の人体模型訓練用器具は、空気等の気体により膨張可能な上半身本体に、圧迫力が所定レベルを超えた時に音が発せられるインジケータを有する胸部プレートが取り付けられてなる。一方、胸部を模式的に形成した訓練用器具は、心臓マッサージに要する胸部沈下深さに相当する厚さより厚みのある発泡合成樹脂の胸部本体の中央部に形成された手のひら大の貫通孔に、上下方向に収縮及び復帰する空気室を有する独立気泡の合成樹脂発泡体を透明な軟質塩化ビニールフィルムで被覆し該フィルムに空気室への空気出入用及び検知用の弁を設けた作動部を配設し、弁による空気出入を検知した際に笛等の音が発せられるものである。
【０００５】
ところで、実際の心臓マッサージでは、人体の胸部を強く圧迫して肋骨を撓ませながら５センチ以上押し込むことが推奨されている。しかしながら、従来の訓練用器具を用いた場合、圧迫する部分が空気や合成樹脂発泡体によって構成されているため、圧迫時の弾力が単調で肋骨を撓ませて押し込むようなリアルな感触を再現することができない。
【先行技術文献】
【特許文献】
【０００６】
【特許文献１】特許第４６１０５５１号
【特許文献１】国際公開第２０１０／１４７１２９号
【発明の概要】
【発明が解決しようとする課題】
【０００７】
本発明は前記の点に鑑みなされたものであり、圧迫時に肋骨を撓ませて押し込むようなリアルな感触を再現することができる心臓マッサージ訓練用器具を提供するものである。
【課題を解決するための手段】
【０００８】
すなわち、請求項１の発明は、圧迫部材上面からの十分な圧迫力により音を発する発音部材を備えた心臓マッサージ訓練用器具において、前記圧迫部材は、下部の両端部から上部の押圧部に至る可撓性板部材によって形成されており、前記押圧部への圧迫力により前記両端部が外方へ滑動して下方へ撓むように構成されているとともに、該可撓性板部材が下方へ所定量を撓んだ際に前記押圧部が前記発音部材を押圧して発音させるようにしたことを特徴とする心臓マッサージ訓練用器具に係る。
【０００９】
請求項２の発明は、前記可撓性板部材が部分管状体よりなる請求項１に記載の心臓マッサージ訓練用器具に係る。
【００１０】
請求項３の発明は、前記可撓性板部材の前記両端部が上方へ湾曲した円弧状であるとともに、前記押圧部が平坦面である請求項１に記載の心臓マッサージ訓練用器具に係る。
【００１１】
請求項４の発明は、前記発音部材が幅方向に湾曲した板ばね部材よりなる請求項１ないし３のいずれか１項に記載の心臓マッサージ訓練用器具に係る。
【００１２】
請求項５の発明は、前記板ばね部材の上部に前記可撓性板部材の裏面と弾性的に当接する弾性当接部材が配設されている請求項４に記載の心臓マッサージ訓練用器具に係る。
【００１３】
請求項６の発明は、前記弾性当接部材が板ばね部材の上部にその長さ方向と直行して帯状に配設されている請求項５に記載の心臓マッサージ訓練用器具に係る。
【００１４】
請求項７の発明は、前記発音部材を収容可能な溝部を有しその上方に前記可撓性板部材が配置される台座部が形成された基盤部材を備え、前記台座部側方に前記可撓性板部材が撓んだ際にその両端部が滑動可能な滑動底部が形成されている請求項１ないし６のいずれか１項に記載の心臓マッサージ訓練用器具に係る。
【００１５】
請求項８の発明は、前記圧迫部材の上部に人体の胸部を模した模擬胸部材が配置される請求項１ないし７のいずれか１項に記載の心臓マッサージ訓練用器具に係る。
【００１６】
請求項９の発明は、前記模擬胸部材が人体の胸部に相当する模擬胸部材本体を有し、前記模擬胸部材本体の裏面側の四隅に、該模擬胸部材本体を弾性的に水平状態に支持する弾性支持体がそれぞれ配設されている請求項８記載の心臓マッサージ訓練用器具に係る。
【００１７】
請求項１０の発明は、少なくとも前記圧迫部材と前記発音部材と前記模擬胸部材とを収納する箱体を有し、前記箱体の内壁部に前記圧迫部材による前記模擬胸部材本体の上下動状態を視認可能な圧迫状態表示部が形成されている請求項９に記載の心臓マッサージ訓練用器具に係る。
【発明の効果】
【００１８】
請求項１の発明に係る心臓マッサージ訓練用器具は、圧迫部材上面からの十分な圧迫力により音を発する発音部材を備えた心臓マッサージ訓練用器具において、前記圧迫部材は、下部の両端部から上部の押圧部に至る可撓性板部材によって形成されており、前記押圧部への圧迫力により前記両端部が外方へ滑動して下方へ撓むように構成されているとともに、該可撓性板部材が下方へ所定量を撓んだ際に前記押圧部が前記発音部材を押圧して発音させるようにしたため、圧迫時に肋骨を撓ませて押し込むようなリアルな感触を再現することができる。
【００１９】
請求項２の発明は、請求項１において、前記可撓性板部材が部分管状体よりなるため、成形が容易である。
【００２０】
請求項３の発明は、請求項１において、前記可撓性板部材の前記両端部が上方へ湾曲した円弧状であるとともに、前記押圧部が平坦面であるため、訓練者が押圧部を圧迫しやすくなるとともに、均等に力を加えやすくなる。
【００２１】
請求項４の発明は、請求項１ないし３において、前記発音部材が幅方向に湾曲した板ばね部材よりなるため、複雑で高価な装置を用いることなく安価かつ簡易な構成で発音させることができ、繰り返し圧迫されても破損する恐れがない。
【００２２】
請求項５の発明は、請求項４において、前記板ばね部材の上部に前記可撓性板部材の裏面と弾性的に当接する弾性当接部材が配設されているため、可撓性板部材が発音部材を確実に押圧することを補助することができる。
【００２３】
請求項６の発明は、請求項５において、前記弾性当接部材が板ばね部材の上部にその長さ方向と直行して帯状に配設されているため、発音部材の位置ずれを防止することができる。
【００２４】
請求項７の発明は、請求項１ないし６において、前記発音部材を収容可能な溝部を有しその上方に前記可撓性板部材が配置される台座部が形成された基盤部材を備え、前記台座部側方に前記可撓性板部材が撓んだ際にその両端部が滑動可能な滑動底部が形成されているため、発音部材の位置ずれを防止することができるとともに、可撓性板部材の両端部が位置ずれすることなく円滑に滑動可能となる。
【００２５】
請求項８の発明は、請求項１ないし７において、前記圧迫部材の上部に人体の胸部を模した模擬胸部材が配置されるため、各部材の露出を防止するとともに、よりリアルな感覚で訓練を行うことが可能となる。
【００２６】
請求項９の発明は、請求項８において、前記模擬胸部材が人体の胸部に相当する模擬胸部材本体を有し、前記模擬胸部材本体の裏面側の四隅に、該模擬胸部材本体を弾性的に水平状態に支持する弾性支持体がそれぞれ配設されているため、模擬胸部材本体の極端な傾きを抑制することができ、訓練者が常時安定して圧迫を繰り返すことが可能となる。
【００２７】
請求項１０の発明は、請求項９において、少なくとも前記圧迫部材と前記発音部材と前記模擬胸部材とを収納する箱体を有し、前記箱体の内壁部に前記圧迫部材による前記模擬胸部材本体の上下動状態を視認可能な圧迫状態表示部が形成されているため、正常な圧迫作業が行われているか否かを視覚的に確認しながら訓練を実施することができる。
【図面の簡単な説明】
【００２８】
【図１】本発明の一実施例に係る心臓マッサージ訓練用器具の平面図である。
【図２】図１の心臓マッサージ訓練用器具を用いた訓練の模式図である。
【図３】心臓マッサージ訓練用器具の分解斜視図である。
【図４】可撓性板部材の斜視図である。
【図５】心臓マッサージ訓練用器具の要部断面図である。
【図６】発音部材の斜視図である。
【図７】基盤部材の平面図である。
【図８】訓練者と模擬胸部材の位置関係を表した模式図である。
【図９】他の実施例に係る心臓マッサージ訓練用器具の分解斜視図である。
【図１０】図９の心臓マッサージ訓練用器具の基盤部材の平面図である。
【図１１】他の実施例に係る心臓マッサージ訓練用器具の要部断面図である。
【図１２】滑動底部を台座部の上下方向に形成した基盤部材の平面図である。
【発明を実施するための形態】
【００２９】
図１〜３に示す本発明の一実施例に係る心臓マッサージ訓練用器具１０は、小型化及び実寸での心臓マッサージ訓練を可能とするものであって、等身大の人体の胸部を含む上半身に相当する大きさからなり、圧迫部材２０上面からの十分な圧迫力により音を発する発音部材４０を備える。図において、符号１１は各部材２０，４０等を収納するための箱体、１２は箱体１１に開閉可能に一体に設けられた蓋体、Ｔは当該訓練用器具１０を用いて心臓マッサージ訓練を行う訓練者を表す。
【００３０】
圧迫部材２０は、図３〜５に示すように、訓練者Ｔが心臓マッサージの訓練を行う際に圧迫する部分であって、下部の両端部２３，２４から上部の押圧部２２に至る可撓性板部材２１によって形成されている。この可撓性板部材２１にあっては、押圧部２２への圧迫力により両端部２３，２４が外方へ滑動して下方へ撓むように構成することによって、圧迫時に肋骨を撓ませる感触を再現可能とするものである。この可撓性板部材２１は、十分な圧迫力を加えることによって撓ませることが可能であるとともに繰り返しの圧迫に耐え得る十分な強度を備えた適宜の素材が用いられる。例えば、ポリプロピレン（ＰＰ）、ポリスチレン（ＰＳ）、ポリ塩化ビニル（ＰＶＣ）、アクリロニトリルブタジエンスチレン（ＡＢＳ）等の熱硬化性樹脂が好適に使用され、公知の押出成形や射出成形等によって形成される。また、ステンレス鋼等の金属からなる板ばね材も使用することができる。これにより、安価で十分な強度及び可撓性を備えた可撓性板部材２１を得ることができる。
【００３１】
可撓性板部材２１の形状は、両端部２３，２４が外方へ滑動して押圧部２２が下方へ撓むことによって肋骨を撓ませる感触が再現可能であれば特に限定されるものではない。図４は可撓性板部材２１のバリエーションを表したものである。図４（ａ）に示す可撓性板部材２１Ａは、下部の両端部２３Ａ，２４Ａから上方へ湾曲した円弧状の押圧部２２Ａを有する部分管状体よりなる。この可撓性板部材２１Ａは成形が容易である。図４（ｂ）に示す可撓性板部材２１Ｂは、両端部２３Ｂ，２４Ｂから上方へ円弧状に湾曲するとともに、押圧部２２Ｂが平坦面に形成されている。この可撓性板部材２１Ｂは、押圧部２２Ｂが平坦面であることにより、訓練者Ｔが押圧部２２Ｂを圧迫しやすくなるとともに、均等に力を加えやすくなる。図４（ｃ）に示す可撓性板部材２１Ｃは、両端部２３Ｃ，２４Ｃがカール状に折り返して形成されている。この可撓性板部材２１Ｃは、両端部２３Ｃ，２４Ｃの接地部分が湾曲しているため、押圧部２２が下方へ撓んだ際に両端部２３Ｃ，２４Ｃが滑動しやすくなる。特に、可撓性板部材２１Ｃが板ばね材等の滑動しにくい素材で形成された場合に有効である。
【００３２】
また、可撓性板部材２１は、下方へ所定量を撓んだ際に押圧部２２が後述する発音部材４０を押圧して発音させる。ここで、可撓性板部材２１が下方へ撓む所定量とは、訓練者Ｔからの圧迫により心臓マッサージが有効となる沈下量であって、例えば５センチ以上である。実施例では、図３〜５に示すように、可撓性板部材２１の押圧部２２裏面側に、後述する発音部材４０を直接又は間接的に作動させる作動部２５が形成されている。この作動部２５は、押圧部２２裏面側から下方に突出した突部２６を有しており、必要に応じて可撓性板部材２１の裏面側に圧縮可能な弾性部材３０が配設される。弾性部材３０の材質としては、繰り返し圧迫を行った場合でも破損しにくい適宜の材料よりなり、例えばウレタンやポリエチレン等の合成樹脂発泡体が好適に使用される。また、弾性部材３０は、可撓性板部材２１の両端部２３，２４内周面に両側部が当接する適宜の形状からなり、例えば略直方体状や可撓性板部材２１の内周面に内接する略半円状等が挙げられる。図示の例では、略直方体状である。作動部２５によって直接的に発音部材４０を押圧する場合は、可撓性板部材２１が下方へ撓んだ際に突部２６を発音部材４０に当接させて行われる。一方、間接的に押圧する場合は、可撓性板部材２１が下方へ撓んだ際に突部２６が弾性部材３０を介して発音部材４０を押圧する。この可撓性板部材２１では、裏面側に弾性部材３０を介在させることにより、圧迫時に可撓性板部材２１が横ずれしにくくなり、安定性が向上する。
【００３３】
発音部材４０は、図３，５に示すように、圧迫部材２０上面からの十分な圧迫力により音を発するものである。発音部材４０としては、訓練者Ｔが圧迫部材２０を介して圧迫した際に発音するとともに、繰り返し圧迫を行った場合でも破損しにくい構成であれば特に限定されるものではない。実施例では、図６に示すように、幅方向に湾曲した板ばね部材４１が使用される。この板ばね部材４１は、湾曲部４２を上側として配置され、圧迫部材２０の圧縮力が作用することにより湾曲部４２が押圧変形されて発音し、圧縮力が作用しなくなるとばねの復元作用により元に戻るものである。このように、発音部材４０として板ばね部材４１を用いることにより、複雑で高価な装置を用いることなく、安価かつ簡易な構成で発音させることができ、圧迫により繰り返し押圧変形されても破損する恐れがない。
【００３４】
また、この訓練用器具１０は、図３，５，７に示すように、可撓性板部材２１及び発音部材４０を配置するための基盤部材５０を備える。基盤部材５０には、台座部５１と、滑動底部５５とが形成されている。台座部５１は、発音部材４０を収容可能な溝部５２を有しその上方に可撓性板部材２１が配置される。台座部５１の溝部５２に発音部材４０が収容されることにより、発音部材４０の位置ずれを防止することができる。一方、可撓性板部材２１は、両端部２３，２４が台座部５１の外周部に近接または当接するように配置されることによって位置決め可能であるとともに、両端部２３，２４が台座部５１の左右方向に滑動するように配置されることにより、肋骨を撓ませる感触がよりリアルに再現される。
【００３５】
滑動底部５５は、台座部５１側方に可撓性板部材２１が撓んだ際にその両端部２３，２４を滑動可能とするものであり、可撓性板部材２１の両端部２３，２４の滑動方向を規制する規制部５６と、可撓性板部材２１の両端部２３，２４の滑動方向に開放された滑動面５７とを有する。実施例の滑動底部５５は、台座部５１の左右方向に形成されている。これにより、可撓性板部材２１の両端部２３，２４が位置ずれすることなく円滑に滑動可能となる。なお、図中の符号５８は滑動する可撓性板部材２１の両端部２３，２４との摩擦を軽減するために並列に形成された複数の凹部である。
【００３６】
さらに、この訓練用器具１０では、図１〜３，５に示すように、各部材２０，４０，５０等の露出を防止するとともに、リアルな感覚で訓練を行うことを可能とするために、各部材２０，４０，５０等の上部に布状、板状、蓋状等の適宜の形状からなる人体の胸部を模した模擬胸部材６０が配置される。実施例の模擬胸部材６０は、人体の胸部に相当する蓋状の模擬胸部材本体６１を有する。模擬胸部材本体６１は、合成樹脂材料からなり、特にポリプロピレン（ＰＰ）、ポリエチレン（ＰＥ）、ポリ塩化ビニル（ＰＶＣ）、ポリスチレン（ＰＳ）等の熱可塑性樹脂が好適に使用される。
【００３７】
模擬胸部材本体６１では、図１，８に示すように、人体の左右の乳頭部に相当する各位置にそれぞれ模擬乳頭部６２，６２が形成されているとともに、人体の中心線Ｌ上の剣状突起に相当する位置に模擬剣状突起部６３が形成されている。また、各模擬乳頭部６２，６２を結ぶ線Ｍと中心線Ｌとの交点に相当する位置、すなわち模擬胸部材本体６１の心臓に相当する位置には、訓練者Ｔが訓練を実施する際に押圧する目安となる押圧凹部６５が形成されている。押圧凹部６５は、基盤部材５０の台座部５１の直上位置に配置され、訓練者Ｔが当該押圧凹部６５を介して台座部５１上に配置された圧迫部材２０を間接的に圧迫可能とする。特に、図５に示すように、凹部底面６６が平面状であり、上部の押圧部２２が平坦面２２Ｂである可撓性板部材２１Ｂを用いた場合には、凹部底面６６が平坦面２２Ｂ上に載置されるため、模擬胸部材６０のぐらつきが抑制されて圧迫時の安定性が向上する。
【００３８】
模擬胸部材６０では、よりリアルな感覚で訓練を行うことを可能とするために、図１，２に示すように、顔の絵や模型等の人体の頭部に相当する模擬頭部材７０が取り付けられる。実施例の模擬頭部材７０は、顔等が描かれた頭部本体７１と、ヒンジ部７３を介して頭部本体７１と連接されて模擬胸部材本体６１に固定される取付部７２とを有する。また、模擬頭部材７０は、箱体１１への収納時には、模擬胸部材本体６１に固定された状態でヒンジ部７３を介して模擬胸部材本体６１側へ折り重ねられている。
【００３９】
次に、当該心臓マッサージ訓練用器具１０の使用方法について説明する。まず、各部材２０，４０，５０，６０が収納された箱体１１を床等に載置し、図１，２に示すように、蓋体１２を開放した後、模擬頭部材７０を模擬胸部材本体６１に折り重なった状態からヒンジ部７３を介して開放された蓋体１２側へ倒す。ここで、図５（ａ）に示すように、基盤部材５０の台座部５１に形成された溝部５２には発音部材４０である板ばね部材４１が収容され、台座部５１上部に圧迫部材２０である可撓性板部材２１が弾性部材３０を介して配置されている。
【００４０】
ここで、訓練者Ｔは、図２，８に示すように、当該訓練用器具１０の左右いずれかの側方の位置に着き、模擬胸部材６０の押圧凹部６５上面に両手を乗せて、該模擬胸部材６０の押圧凹部６５を介して可撓性板部材２１の圧迫を行い、可撓性板部材２１を下方へ撓ませる。その際、可撓性板部材２１へ心臓マッサージが有効となる程度の十分な圧迫が加わると、図５（ｂ）に示すように、可撓性板部材２１の両端部２３，２４が外方へ滑動するとともに押圧部２２が下方へ所定量（例えば５センチ以上）撓む。その際、押圧部２２裏面側の作動部２５（突部２６）が弾性部材３０を圧縮し、該弾性部材３０を介して板ばね部材４１を押圧変形させることで、板ばね部材４１が１回音を発する。また、可撓性板部材２１を撓ませながら押し込むことで、訓練者Ｔは、可撓性板部材２１の弾力により肋骨を撓ませて押し込むようなリアルな感触を得ることができる。
【００４１】
続いて、訓練者Ｔが圧迫をやめると、図５（ａ）に示すように、可撓性板部材２１が復元して押圧部２２が上方へ後退するとともに、板ばね部材４１への押圧状態が解除され、板ばね部材４１が復元作用により元に戻される。以後、訓練者Ｔにより圧迫が繰り返し行われて十分な圧迫が加えられるたびに、板ばね部材４１が音を発して正常に心臓マッサージが行われていることを確認することができる。なお、訓練を終了する際には、模擬頭部材７０を模擬胸部材本体６１側へ折り重ねた後、蓋体１２を閉じるだけでよい。
【００４２】
次に、図９，１０に示す他の実施例に係る心臓マッサージ訓練用器具１０Ａについて説明する。この訓練用器具１０Ａは、圧迫部材２０Ａと、発音部材４０と、基盤部材５０Ａと、模擬胸部材６０Ａとを備える。なお、以下の説明において、前述の実施例と同一の符号は同一の構成を表すものとして、その説明を省略する。
【００４３】
圧迫部材２０Ａは、図９，１０に示すように、下部の両端部２３Ｄ，２４Ｄから上方へ楕円状に湾曲した円弧状の押圧部２２Ｄを有する部分管状体よりなる可撓性板部材２１Ｄによって形成される。この圧迫部材２０Ａでは、可撓性板部材２１Ｄが下方へ所定量を撓んだ際に押圧部２２Ｄが発音部材４０を直接又は間接的に押圧して発音させる。
【００４４】
発音部材４０は、図９〜図１１に示すように、幅方向に湾曲した板ばね部材４１からなり、該板ばね部材４１の上部に可撓性板部材２１Ｄの裏面と弾性的に当接する弾性当接部材４５が配設されていて、該弾性当接部材４５を介して可撓性板部材２１Ｄに押圧されて発音する。この発音部材４０は、図示のように、可撓性板部材２１Ｄの滑動方向に直交する方向に配置される。弾性当接部材４５は、可撓性板部材２１Ｄが下方へ所定量を撓んだ際に可撓性板部材２１Ｄの裏面と当接することによって、押圧時の可撓性板部材２１Ｄと発音部材４０とのずれを防止して発音部材４０を確実に押圧することを補助するものである。弾性当接部材４５の材質としては、繰り返し圧迫を行った場合でも破損しにくい適宜の材料よりなり、例えばウレタンやポリエチレン等の合成樹脂発泡体が好適に使用される。実施例の弾性当接部材４５は、板ばね部材４１の上部にその長さ方向と直行して帯状に配設され、発音部材４０の位置ずれを防止している。
【００４５】
基盤部材５０Ａは、図９，１０に示すように、可撓性板部材２１及び発音部材４０を配置するものであって、発音部材４０が載置される台座部５１Ａと、台座部５１Ａ側方に可撓性板部材２１Ｄが撓んだ際にその両端部２３Ｄ，２４Ｄを滑動可能とする滑動底部５５Ａとを有する。図において、符号５２Ａは台座部５１Ａに載置された発音部材４０を保持する発音部材保持部、５３Ａは台座部５１Ａの略中心位置に形成され圧迫された板ばね部材４１の変形を妨げることなく十分に押圧変形させて確実に発音させるための心臓部凹部、５６Ａは可撓性板部材２１Ｄの両端部２３Ｄ，２４Ｄの滑動方向を規制する規制部、５７Ａは可撓性板部材２１Ｄの両端部２３Ｄ，２４Ｄの滑動方向に開放された滑動面、５８Ａは滑動する可撓性板部材２１Ｄの両端部２３Ｄ，２４Ｄとの摩擦を軽減するための複数の凹部、５９Ａは基盤部材５０Ａの四隅に形成され後述する弾性支持体８０を保持する弾性支持体保持部である。
【００４６】
模擬胸部材６０Ａは、図９，１１に示すように、人体の胸部に相当する模擬胸部材本体６１Ａを有し、該模擬胸部材本体６１Ａの心臓に相当する位置に形成された押圧凹部６５Ａに弾性押圧部６７Ａが設けられ、訓練者Ｔが当該弾性押圧部６７Ａを介して圧迫部材２０Ａを間接的に圧迫可能とされる。弾性押圧部６７Ａの材質としては、繰り返し圧迫を行った場合でも破損しにくい適宜の材料よりなり、例えばウレタンやポリエチレン等の合成樹脂発泡体が好適に使用される。
【００４７】
模擬胸部材６０Ａでは、模擬胸部材本体６１Ａの裏面側の四隅に、該模擬胸部材本体６１Ａを弾性的に水平状態に支持する弾性支持体８０がそれぞれ配設されている。弾性支持体８０の材質としては、模擬胸部材６０Ａの押圧時に容易に収縮可能であるとともに、非押圧時に模擬胸部材６０Ａの水平状態を支持可能な適宜の材料よりなり、ポリウレタン等の合成樹脂発泡体が好適に使用される。このように、模擬胸部材本体６１Ａの四隅が弾性支持体８０によって弾性的に支持されることにより、押圧時あるいは非押圧時のいずれであっても模擬胸部材本体６１Ａの極端な傾きを抑制することができ、訓練者Ｔが常時安定して圧迫を繰り返すことが可能となる。
【００４８】
また、この訓練用器具１０Ａは、図１１に示すように、圧迫部材２０Ａ、発音部材４０、基盤部材５０Ａ、模擬胸部材６０Ａ等の各部材を収納する箱体１１Ａを有する。箱体１１Ａでは、内壁部１３に圧迫部材２０Ａによる模擬胸部材本体６１Ａの上下動状態を視認可能な圧迫状態表示部１５が形成されている。模擬胸部材本体６１Ａの上下動状態とは、訓練者Ｔによる圧迫時あるいは非圧迫時における模擬胸部材本体６１Ａの沈下量である。
【００４９】
圧迫状態表示部１５は、図１１に示すように、訓練者Ｔが圧迫を行った際の可撓性板部材２１Ｄの撓み具合を模擬胸部材本体６１Ａの沈下量から間接的に確認可能とするものであって、可撓性板部材２１Ｄが下方へ所定量（例えば５センチ以上）撓んでいる状態や、圧迫後に可撓性板部材２１Ｄが正常に復元したこと等、正常な圧迫作業が行われているか否かを視覚的に確認しながら訓練を実施することができる。この圧迫状態表示部１５は、内壁部１３の一部あるいは全周に亘って形成され、模擬胸部材本体６１Ａの上下動状態が視認可能な構成であれば形態等は特に限定されない。圧迫状態表示部１５の形態としては、例えば、模擬胸部材本体６１Ａの通常位置から所定量沈下した位置等を表す線、模擬胸部材本体６１Ａの通常位置から所定間隔で沈下量を表した目盛り、内壁部１３の高さ方向に異なる形状で描かれた模様、模擬胸部材本体６１Ａの通常位置から所定量沈下した位置で内壁部１３を上下方向に色分けしたり内壁部１３の高さ方向に色の濃淡や複数色のグラデーションをつける等の内壁部１３の色彩等が挙げられる。
【００５０】
ここで、当該訓練用器具１０Ａの使用方法を説明すると、まず、図１１（ａ）に示すように、箱体１１Ａには、基盤部材５０Ａの台座部５１Ａに上部に帯状の弾性当接部材４５が配設された発音部材４０である板ばね部材４１が載置され、台座部５１Ａ上部に圧迫部材２０Ａである可撓性板部材２１Ａが配置されている。また、基盤部材５０Ａの四隅の弾性支持体保持部５９Ａにはそれぞれ弾性支持体８０が配置されて、その上部に模擬胸部材６０Ａが水平状態で支持されている。なお、箱体１１Ａの内壁部１３には、その全周に亘って、圧迫状態表示部１５として、模擬胸部材本体６１Ａの所定量の沈下位置を表す境界線１５ａと、模擬胸部材本体６１Ａの正常な復元位置を表す境界線１５ｂが設けられている。
【００５１】
訓練者Ｔは、模擬胸部材６０Ａの弾性押圧部６７Ａ上面に両手を乗せて、該模擬胸部材６０Ａの弾性押圧部６７Ａを介して可撓性板部材２１の圧迫を行い、可撓性板部材２１Ｄを下方へ撓ませる。その際、その際、可撓性板部材２１Ｄへ心臓マッサージが有効となる程度の十分な圧迫が加わると、図１１（ｂ）に示すように、可撓性板部材２１Ｄの両端部２３Ｄ，２４Ｄが外方へ滑動するとともに押圧部２２Ｄが下方へ所定量（例えば５センチ以上）撓む。この時、模擬胸部材本体６１Ａが可撓性板部材２１Ｄとともに下方へ沈下して視認可能となった所定量の沈下位置を表す境界線１５ａより下方に位置するとともに、押圧部２２Ｄ裏面側が弾性当接部材４５を介して板ばね部材４１を押圧変形させて発音させて、正常な圧迫が実行される。
【００５２】
一方、可撓性板部材２１Ｄへの圧迫が不十分であると、可撓性板部材２１Ｄの下方への撓みが足りず、模擬胸部材本体６１Ａが下方へ沈下した状態となっても境界線１５ａが視認不能あるいは境界線１５ａより上方に位置するとともに、板ばね部材４１が押圧変形されず発音しない。
【００５３】
続いて、訓練者Ｔが圧迫をやめると、可撓性板部材２１Ｄが復元して押圧部２２Ｄが上方へ後退する。その際、訓練者Ｔが圧迫状態を十分に解除していなかった場合、正常な復元位置を表す境界線１５ｂが視認可能な状態となっていることにより、訓練者Ｔは圧迫解除が不十分であることを認識することができる。これに対し、訓練者Ｔが圧迫状態を十分に解除していた場合は、境界線１５ｂが視認不能となる。
【００５４】
以後、訓練者Ｔにより同様の圧迫及び圧迫解除が行われ、境界線１５ａ，１５ｂや板ばね部材４１の発音に基づいて、正常に心臓マッサージが行われていることを確認することができる。なお、模擬胸部材本体６１Ａが弾性支持体８０によって四隅を弾性的に支持されることにより、繰り返しの圧迫を実施した場合でも模擬胸部材本体６１Ａが極端に傾くことがなく、略水平状態が保持されて安定して上下動が繰り返される。
【００５５】
なお、本発明の心臓マッサージ訓練用器具は、前述の実施例のみに限定されるものではなく、発明の趣旨を逸脱しない範囲において構成の一部を適宜に変更して実施することができる。例えば、実施例の基盤部材では、滑動底部を台座部の左右方向に形成し、可撓性板部材をその両端部が台座部の左右方向に滑動するように配置したが、図１２の符号５０Ｂに示すように、滑動底部を台座部の上下方向に形成し、可撓性板部材をその両端部が台座部の上下方向に滑動するように配置してもよい。このように構成すれば、訓練者に対して可撓性板部材の滑動方向が略直角方向となり、可撓性板部材を圧迫しやすくなるため、心臓マッサージに不慣れな初心者等の訓練に最適である。
【００５６】
また、実施例では、発音部材を台座部に形成された単一の溝部に収容したが、深さが異なる２つの溝部（浅溝部と深溝部）に選択的に収容されるようにしてもよい。２つの溝部（浅溝部と深溝部）を設ける場合、模擬胸部材の各模擬乳頭部を結ぶ線と中心線との交点に相当する位置で各溝部を互いに直交状に形成するとともに、各溝部を中心線に対して斜め方向に配置することが好ましい。模擬胸部材の各模擬乳頭部を結ぶ線と中心線との交点位置で各溝部を直交させることにより、発音部材を実際の心臓に相当する位置に正確に配置することができ、各溝部を中心線に対して斜め方向に配置することにより、訓練者による圧迫位置がずれることがなく均等に圧迫することが可能となる。このように、深さが異なる２つの溝部（浅溝部と深溝部）を形成すれば、いずれの溝部に発音部材を収容するかによって圧迫部材の作動部と発音部材との距離を変動させることが可能となる。すなわち、浅溝部に発音部材を収容した場合は、圧迫部材の作動部と発音部材との距離が近くなって比較的小さな力で発音させることができる。一方、深溝部に発音部材を収容した場合は、圧迫部材の作動部と発音部材との距離が遠くなって、発音させるために比較的大きな力が必要となる。これにより、発音部材を発音させるのに必要な圧迫力を容易に変化させることが可能となり、想定される心臓マッサージの対象（成人や子供等）に合わせた訓練を容易に実施することができる。
【００５７】
さらに、可撓性板部材の裏面側に配設される弾性部材として硬度が異なる複数の弾性部材を用い、該弾性部材の硬度の相違により必要な圧迫力を変化させるようにしてもよい。また、弾性部材の硬度の相違と発音部材の浅溝部または深溝部への配置の相違とを適宜組み合わせるようにすれば、圧迫力をより多様に変化させることができる。
【００５８】
加えて、可撓性板部材の両端部をカール状に折り返して形成する場合、可撓性板部材の形状は図示の実施例のみに限定されるものではなく、部分管状体の両端部をカール状にする等、適宜の形状の可撓性板部材に形成することができる。
【００５９】
また、実施例では、発音部材を発音させて心臓マッサージが有効に行われていることを認識するように構成したが、それに加えてＬＥＤ等の適宜の発光部材を併用しても構わない。この発光部材は、例えば、可撓性板部材の押圧部裏面側と発音部材（弾性当接部材）上面側にそれぞれ電極を設け、可撓性板部材が下方へ所定量を撓んだ際に双方の電極が互いに接触することで発光するように構成される。このように、発光部材を併用することで、聴覚（音）だけでなく視覚（光）でも心臓マッサージが有効であるか否かを認識可能となり、より効果的に訓練を実施することができる。
【符号の説明】
【００６０】
１０    心臓マッサージ訓練用器具
２０    圧迫部材
２１    可撓性板部材
２２    押圧部
２３，２４    可撓性板部材の両端部
２５    作動部
３０    弾性部材
４０    発音部材
４１    板ばね部材
５０    基盤部材
５１    台座部
５２    溝部
５５    滑動底部
６０    模擬胸部材
Ｔ      訓練者
【図１】
0005955689.tif 000002
【図２】
0005955689.tif 000003
【図３】
0005955689.tif 000004
【図４】
0005955689.tif 000005
【図５】
0005955689.tif 000006
【図６】
0005955689.tif 000007
【図７】
0005955689.tif 000008
【図８】
0005955689.tif 000009
【図９】
0005955689.tif 000010
【図１０】
0005955689.tif 000011
【図１１】
0005955689.tif 000012
【図１２】
0005955689.tif 000013